(57)【特許請求の範囲】
【請求項１】
台座と前記台座に着脱自在に装着されるスクリューとから成り、前記スクリューは、前記台座の窪みに挿入され、前記台座に設けられて前記スクリューを抜け止めするスクリュー抜け止め手段によって着脱自在に装着されているレベルアジャスタにおいて、前記スクリュー抜け止め手段は、相互に並列する２つのピン部分と前記２つのピン部分に一体に取り付けられた把手部とを有する抜け止めピンと、前記台座の前記窪みに部分的にオーバーラップするように前記台座に設けられ前記２つのピン部分が係入する２つの相互に並列するピン差し込み孔とから成り、前記スクリューは、前記台座のピン差し込み孔が前記窪みにオーバーラップする部分で前記２つのピン部分が係止する鍔を有し、前記抜け止めピンと前記台座とは、前記２つのピン部分が所定の差し込み位置で係止するように相互に位置決めする位置決め手段を備えていることを特徴とするレベルアジャスタ。
【請求項２】
台座と前記台座に着脱自在に装着されるスクリューとから成り、前記スクリューは、前記台座の窪みに挿入され、前記台座に設けられて前記スクリューを抜け止めするスクリュー抜け止め手段によって着脱自在に装着されているレベルアジャスタにおいて、前記スクリュー抜け止め手段は、相互に並列する２つのピン部分と前記２つのピン部分に一体に取り付けられた把手部とを有する抜け止めピンと、前記台座の前記窪みに部分的にオーバーラップするように前記台座に設けられ前記２つのピン部分が係入する２つの相互に並列するピン差し込み孔とから成り、前記スクリューは、前記台座のピン差し込み孔が前記窪みにオーバーラップする部分で前記２つのピン部分が係止する鍔を有し、前記抜け止めピンと前記台座とは、前記２つのピン部分が所定の差し込み位置で係止するように相互に位置決めする位置決め手段と前記２つのピン部分が前記台座のピン差し込み孔の内面に摩擦的に係合するピン弾性抜け止め手段とを備えていることを特徴とするレベルアジャスタ。
【請求項３】
請求項１又は２に記載のレベルアジャスタであって、前記所定の差し込み位置は、抜け止めピンの把手部が２つのピン部分が差し込まれた状態でも手が掛けられ易い位置であることを特徴とするレベルアジャスタ。
【請求項４】
請求項１乃至３のいずいれかに記載のレベルアジャスタであって、前記位置決め手段は、前記抜け止めピンの２つのピン部分に設けられた膨らみ部と前記台座のピン差し込み孔内でその端部付近に設けられた肩部とから成っていることを特徴とするレベルアジャスタ。
【請求項５】
請求項１乃至３のいずれかに記載のレベルアジャスタであって、前記位置決め手段は、前記抜け止めピンの２つのピン部分に設けられた膨らみ部と前記台座のピン差し込み孔の入口付近にある前記台座の壁面とから成っていることを特徴とするレベルアジャスタ。
【請求項６】
請求項１乃至３のいずれかに記載のレベルアジャスタであって、前記位置決め手段は、前記台座のピン差し込み孔の奥部に設けられて前記抜け止めピンの２つのピン部分の前端面が係止する壁面から成っていることを特徴とするレベルアジャスタ。
【請求項７】
請求項２乃至６のいずれかに記載のレベルアジャスタであって、前記ピン弾性抜け止め手段は、前記抜け止めピンの２つのピン部分が先端に向けて広がるようにして前記ピン差し込み孔に摩擦的に係合するものであることを特徴とするレベルアジャスタ。
【請求項８】
請求項２乃至６のいずれかに記載のレベルアジャスタであって、前記ピン弾性抜け止め手段は、前記台座のピン差し込み孔の内面がテーパ状であって前記抜け止めピンの２つのピン部分が弾性的に係入されるものであることを特徴とするレベルアジャスタ。
【請求項９】
請求項１乃至８のいずれかに記載のレベルアジャスタであって、前記台座のピン差し込み孔は、前記抜け止めピンがいずれかの方向からも係入することができるように形成され、前記位置決め手段は、前記双方向のピン差し込み孔の両端に設けられていることを特徴とするレベルアジャスタ。
【請求項１０】
請求項１乃至９のいずれかに記載のレベルアジャスタであって、前記台座は、その下面に取り付けられた耐震部材を含むことを特徴とするレベルアジャスタ。
【請求項１１】
請求項１乃至１０のいずれかに記載のレベルアジャスタであって、前記抜け止めピンのピン部分は、前記スクリューの鍔に対して隙間を有して差し込まれていることを特徴とするレベルアジャスタ。
【請求項１２】
請求項１乃至１１のいずれかに記載のレベルアジャスタであって、前記抜け止めピンの前記窪みにオーバーラップする部分の外側の外周面は、前記ピン差し込み孔の外側の内周面に接触していることを特徴とするレベルアジャスタ。
【発明の詳細な説明】
【技術分野】
【０００１】
本発明は、複写機、テーブル、机の如き種々の据付物体の脚又は底に取り付けられてその高さ（レベル）を調節するレベルアジャスタの改良に関するものである。
【背景技術】
【０００２】
テーブル、机の如き据付物体を水平に据え付けるのに用いられるレベルアジャスタは、台座とこの台座に着脱自在に装着されるスクリューとから成っている。スクリューは、台座の窪みに挿入され、台座に係入してスクリューを抜け止めする抜け止め手段によって着脱自在に装着される（特許文献１及び２参照）。
【０００３】
特許文献１によるレベルアジャスタにおいては、抜け止め手段は、この文献の図３に示すように、台座ａの側面から台座ａに螺入してスクリューｄが係入する窪みｂ内に突出させてスクリューｄの鍔ｆに係わるようにした抜け止めねじから成っている。
【０００４】
しかし、この従来技術によるレベルアジャスタは、スクリューを抜け止めねじのねじ込みで着脱するので、スクリューの装着や取り外しに時間がかかり、取り扱いに不便であった。
【０００５】
一方、特許文献２によるレベルアジャスタにおいては、抜け止め手段は、この文献の図３に示すように、台座１の頂面に設けられた２つの係止突起１２とスクリュー２の下端付近に設けられた係止溝とに係止する溝付き板状抜け止め片３から成っているか、この文献の図４に示すように、台座１の頂面に設けられた２つの突起のピン挿入孔１４とスクリュー２の相応するピン挿通孔２４とに差し込むピン４から成っている。
【０００６】
特許文献２によるレベルアジャスタの抜け止め手段は、特許文献１のねじ式抜け止め手段とは異なって差し込みによってスクリューを抜け止めするので、特許文献１によるレベルアジャスタに比べて取り扱いが容易であるが、単に差し込みでスクリューを装着するので、抜け止め片３又はピン４が台座やスクリューから抜け出し易く、抜け止め状態を安定に維持することが困難であった。
【先行技術文献】
【特許文献】
【０００７】
【特許文献１】実開平６−６１１４４号公報
【特許文献２】特開２００９−２７０７０８号公報
【発明の概要】
【発明が解決しようとする課題】
【０００８】
本発明が解決しようとする課題は、スクリューの着脱を迅速に行うことができ、且つスクリューを安定して抜け止めすることができるレベルアジャスタを提供することにある。
【課題を解決するための手段】
【０００９】
本発明の第１の課題解決手段は、台座と前記台座に着脱自在に装着されるスクリューとから成り、前記スクリューは、前記台座の窪みに挿入され、前記台座に設けられて前記スクリューを抜け止めするスクリュー抜け止め手段によって着脱自在に装着されているレベルアジャスタにおいて、前記スクリュー抜け止め手段は、相互に間隔をあけて並んでいる２つのピン部分と前記２つのピン部分に一体に取り付けられた把手部とを有する抜け止めピンと、前記台座の前記窪みに部分的にオーバーラップするように前記台座に設けられ前記２つのピン部分が係入する相互に間隔をあけて並んでいる２つのピン差し込み孔とから成り、前記スクリューは、前記台座のピン差し込み孔が前記窪みにオーバーラップする部分で前記２つのピン部分が係止する鍔を有し、前記抜け止めピンと前記台座とは、前記２つのピン部分が所定の差し込み位置で係止するように相互に位置決めする位置決め手段を備えていることを特徴とするレベルアジャスタを提供することにある。
【００１０】
本発明の第２の課題解決手段は、台座と前記台座に着脱自在に装着されるスクリューとから成り、前記スクリューは、前記台座の窪みに挿入され、前記台座に設けられて前記スクリューを抜け止めするスクリュー抜け止め手段によって着脱自在に装着されているレベルアジャスタにおいて、前記スクリュー抜け止め手段は、相互に間隔をあけて並んでいる２つのピン部分と前記２つのピン部分に一体に取り付けられた把手部とを有する抜け止めピンと、前記台座の前記窪みに部分的にオーバーラップするように前記台座に設けられ前記２つのピン部分が係入する相互に間隔をあけて並んでいる２つのピン差し込み孔とから成り、前記スクリューは、前記台座のピン差し込み孔が前記窪みにオーバーラップする部分で前記２つのピン部分が係止する鍔を有し、前記抜け止めピンと前記台座とは、前記２つのピン部分が所定の差し込み位置で係止するように相互に位置決めする位置決め手段と前記２つのピン部分が前記台座のピン差し込み孔の内面に摩擦的に係合するピン弾性抜け止め手段とを備えていることを特徴とするレベルアジャスタを提供することにある。
【００１１】
本発明の課題解決手段において、所定の差し込み位置は、抜け止めピンの把手部が２つのピン部分が差し込まれた状態でも手が掛けられ易い位置であるのが好ましい。
【００１２】
本発明の課題解決手段において、位置決め手段は、（ａ）２つのピン部分に設けられた膨らみ部と前記台座のピン差し込み孔内でその端部付近に設けられた肩部とから成っているか、（ｂ）２つのピン部分に設けられた膨らみ部と前記台座のピン差し込み孔の入口付近にある前記台座の壁面とから成っているかのいずいれかとするか、（ｃ）前記２つのピン部分には膨らみ部を有しないで台座のピン差し込み孔の奥部に設けられて２つのピン部分の前端面が係止する壁面から成っているものとすることができる。
【００１３】
また、本発明の課題解決手段において、ピン弾性抜け止め手段は、抜け止めピンの２つのピン部分が先端に向けて広がるようにしてばねが付与されるか、台座のピン差し込み孔の内面がテーパ状であって２つのピン部分が弾性的に係入されるかのいずれかとすることができる。
【００１４】
本発明の課題解決手段において、前記台座のピン差し込み孔は、前記抜け止めピンがいずれかの方向からも係入することができるように形成され、前記位置決め手段は、前記双方向のピン差し込み孔の両端に設けることができる。
【００１５】
本発明の課題解決手段において、前記台座は、その下面に取り付けられた耐震部材を含むのが好ましく、また、前記抜け止めピンのピン部分は、前記スクリューの鍔に対して隙間を有して差し込まれているが好ましい。
【発明の効果】
【００１６】
本発明によれば、抜け止めピンを台座のピン差し込み孔に差し込むだけでスクリューを抜け止めすることができるので、スクリューの着脱を迅速に行うことができ、また、抜け止めピンの２つのピン部分が台座のピン差し込み孔の内面に摩擦的に係合するので、スクリューは、台座に安定して抜け止めすることができる。
【図面の簡単な説明】
【００１７】
【図１】本発明の第１の実施の形態によるレベルアジャスタの組立状態の斜視図である。
【図２】図１のレベルアジャスタの上面図である。
【図３】図１のレベルアジャスタの正面図である。
【図４】図１のレベルアジャスタ分解状態の斜視図である。
【図５】図２の５−５線断面図である。
【図６】図３の６−６線断面図である。
【図７】図６の一部の拡大断面図である。
【図８】図１のレベルアジャスタの台座の好ましい例の図６に相応する水平断面図である。
【図９】本発明の第２の実施の形態によるレベルアジャスタの組立状態の斜視図である。
【図１０】図９のレベルアジャスタの上面図である。
【図１１】図９のレベルアジャスタの正面図である。
【図１２】図９のレベルアジャスタ分解状態の斜視図である。
【図１３】図１０の１２−１２線断面図である。
【図１４】図１１の１３−１３線断面図である。
【図１５】図９のレベルアジャスタの台座の好ましい例の図１４に相応する水平断面図である。
【図１６】本発明の第３の実施の形態によるレベルアジャスタの組立状態の斜視図である。
【図１７】図１６のレベルアジャスタの上面図である。
【図１８】図１６のレベルアジャスタの正面図である。
【図１９】図１６のレベルアジャスタ分解状態の斜視図である。
【図２０】図１７の２０−２０線断面図である。
【図２１】図１８の２１−２１線断面図である。
【図２２】図９のレベルアジャスタの台座の好ましい例の図２１に相応する水平断面図である。
【図２３】本発明に用いることができる幾つかの形態の抜け止めピンの斜視図である。
【発明を実施するための形態】
【００１８】
本発明のレベルアジャスタ１０は、例えば、複写機、テーブルのすべての脚の下端にねじ込まれてねじ込み量を調節してテーブルの天板を水平に保つのに用いられる。
【００１９】
本発明の第１の実施の形態によるレベルアジャスタ１０が図１乃至図８に示されており、この実施の形態によるレベルアジャスタ１０は、裁頭円錐状の台座２０とこの台座２０に着脱自在に装着されるスクリュー３０とから成っている。スクリュー３０は、テーブルの如き水平状態を維持して据え付けられるべきテーブルの如き図示しない据付物体の脚にねじ込まれて、そのねじ込み量に応じて脚、即ちテーブルを水平に調節するのに用いられる。
【００２０】
台座２０は、図５に示すように、耐震手段７０を備え、この耐震手段７０は、台座本体２０Ｂの下面の凹部２０ＢＲに台座本体２０Ｂの下面が床から浮き上がるように取り付けられた粘着性を有するゲルシートの如き耐震マット７２から成っている。この耐震手段７０は、地震によって発生する床の振動がスクリュー３０を介してテーブル等の据付物体に伝わるのを防止するが、その詳細は、スクリュー３０と後に述べる抜け止めピンとの位置関係に関連して後述する。
【００２１】
スクリュー３０は、台座２０の窪み２２に挿入され、台座２０に設けられてスクリュー３０を抜け止めしてスクリュー３０を台座２０に着脱自在に装着するスクリュー抜け止め手段４０を備えている。
【００２２】
スクリュー抜け止め手段４０は、相互に間隔をあけて並んでいる２つのピン部分４２Ａ、４２Ｂとこれらの２つのピン部分４２Ａ、４２Ｂに一体に設けられた把手部４２Ｇとを有する抜け止めピン４２と、台座２０に設けられ、抜け止めピン４２の２つのピン部分４２Ａ、４２Ｂが差し込まれ、且つ窪み２２に部分的にオーバーラップするように互いに間隔をあけて並んで延びる２つのピン差し込み孔４４とから成っている。スクリュー３０は、台座２０のピン差し込み孔４４が窪み２２にオーバーラップする部分で２つのピン部分４２Ａ、４２Ｂが係止する鍔３０Ｆを有するので、スクリュー３０は、抜け止めピン４２の２つのピン部分４２Ａ、４２Ｂによって抜け止めされる。
【００２３】
レベルアジャスタ１０は、抜け止めピン４２の２つのピン部分４２Ａ、４２Ｂが所定の差し込み位置で係止するように相互に位置決めする位置決め手段５０と、抜け止めピン４２の２つのピン部分４２Ａ、４２Ｂが台座２０のピン差込み孔４４の内面に摩擦的に係合するピン弾性抜け止め手段６０とを更に備えている。
【００２４】
位置決め手段５０によって位置決めされて得られる所定の差し込み位置Ｐは、抜け止めピン４２の把手部４２Ｇが２つのピン部分４２Ａ、４２Ｂの差し込み状態でも手が掛けられ易いように台座２０から離反している位置である。図１乃至図３の形態では、台座２０は、ピン差込み孔４４の出入口が台座の周面よりも内側にへこんで形成される把手収納空間２０Ｓを有するので、所定の差し込み位置は、把手部４２Ｇが台座２０の周面から突出することがなく、且つ把手部４２Ｇに指を絡めることができるように把手収納空間２０Ｓの奥の壁面から間隔Ｓをあけた位置である。
【００２５】
位置決め手段５０は、抜け止めピン４２の２つのピン部分４２Ａ、４２Ｂに設けられた膨らみ部５０Ａ、５０Ｂと、台座２０のピン差し込み孔４４の端部に設けられた肩部５０Ｓとから成っている。第１の実施の形態では、肩部５０Ｓは、台座２０のピン差し込み孔４４の入口（拡大孔）４４Ｈの奥部の壁面から成っている。
【００２６】
ピン弾性抜け止め手段６０は、ピン差し込み孔４４を直線状とし（図６参照）、図４及び図２３（Ａ）に示すように、抜け止めピン４２の２つのピン部分４２Ａ、４２Ｂが先端に向けて広がる末広がり状にして抜け止めピン４２にばね性を付与するように形成されているが、図２３（Ｂ）に示すように、抜け止めピン４２の２つのピン部分４２Ａ、４２Ｂは、全く平行にし、図８に示すように、台座２０のピン差し込み孔４４の内面をテーパ状にして２つのピン部分４２Ａ、４２Ｂが弾性的に係入されるようにしてもよい。
【００２７】
第１の実施の形態では、ピン差し込み孔４４は、貫通孔の形態とし、また把手収納空間２０Ｓを反対側にも対称的に設けて、抜け止めピン４２がいずれかの方向からも差し込むことができるようになっている。この場合、位置決め手段５０は、双方向のピン差し込み孔４４の両端に設ける（図６の紙面の上側参照）。
【００２８】
図１乃至図８の第１の実施の形態によるレベルアジャスタ１０は、抜け止めピン４２を台座２０のピン差し込み孔４４に差し込むだけでスクリュー３０を抜け止めすることができるので、スクリュー３０の着脱を迅速に行うことができ、また、抜け止めピン４２の２つのピン部分４２Ａ、４２Ｂは、ピン自体のばね性によってピン差し込み孔４４の内面に摩擦的に係合するので、スクリュー３０は、台座２０に安定して抜け止めすることができる。
【００２９】
本発明の第２の実施の形態によるレベルアジャスタ１０が図９乃至図１５に示されており、この実施の形態によるレベルアジャスタ１０においては、台座２０は、平板状の基台２０Ｂとこの基台２０Ｂの中央付近に設けられた台座本体２０Ｍとから成り、スクリュー３０は、台座本体２０Ｍの窪み２２に挿入し、第１の実施の形態と同様に、抜け止めピン４２の２つのピン部分４２Ａ、４２Ｂが台座本体２０Ｍのピン差し込み孔４４に差し込まれスクリュー３０の鍔３０Ｆを抜け止めしている。
【００３０】
この第２の実施の形態では、位置決め手段５０の肩部５０Ｓは、台座本体２０Ｍのピン差し込み孔４４の入口付近にある台座の壁面から成っているが、この壁面は、台座本体２０Ｍの周面をピン差し込み孔４４がある部分で切欠いて形成されている。従って、台座本体２０Ｍは、この肩面５０Ｓの間に残された周面部分が突出する形態となり、抜け止めピン４２の把手部４２Ｇは、この突出部分２０ＭＰを跨いで配置されるが、位置決め手段５０は、この把手部４２Ｇが突出部分２０ＭＰから間隔をあけて把手部４２Ｇに指を掛けることができるように抜け止めピン４２を位置決めする。
【００３１】
図１５は、第２の実施の形態によるレベルアジャスタ１０のピン差し込み孔４４に両側から対称的に奥向きに幅狭となるようにテ―パを設けてピン弾性抜け止め手段６０を形成し、第１の実施の形態によるレベルアジャスタ１０の図８の構造と同じ構造であることを示すものである。
【００３２】
第２の実施の形態によるレベルアジャスタ１０は、上記の構造以外は、第１の実施の形態によるレベルアジャスタ１０と同じ構造を有し、またその機能及び効果は、第１の実施の形態によるレベルアジャスタの機能及び効果と同じであるので、その説明を省略する。  
【００３３】
本発明の第３の実施の形態によるレベルアジャスタ１０が図１６乃至図２２に示されており、この実施の形態によるレベルアジャスタ１０においては、台座２０は、平板状の基台２０Ｂとこの基台２０Ｂの中央付近からその周面付近まで延びるように設けられた略矩形状の台座本体２０Ｍとから成り、スクリュー３０は、基台２０Ｂの中央付近に相応する位置で台座本体２０Ｍに設けられた窪み２２に挿入し、第１及び第２の実施の形態と同様に、抜け止めピン４２の２つのピン部分４２Ａ、４２Ｂが台座本体２０Ｍのピン差し込み孔４４に差し込まれスクリュー３０の鍔３０Ｆを抜け止めして台座２０に組み付けられている。
【００３４】
この第３の実施の形態では、位置決め手段５０は、抜け止めピン４２の２つのピン部分４２Ａ、４２Ｂに膨らみ部を有しないで台座本体２０Ｍのピン差し込み孔４４の奥部に設けられて２つのピン部分４２Ａ、４２Ｂの前端面が係止する壁面から成っている（図２１参照）。
【００３５】
このように、第３の実施の形態の位置決め手段５０がピン差し込み孔４４の奥部の壁から成っていると、図２１から解るように、ピン差し込み孔４４は双方向とすることができないが、抜け止めピン４２のピン部分４２Ａ、４２Ｂの前端部がピン差し込み孔４４の奥部の壁面に衝合するので、第１及び第２の実施の形態のようにピン部分４２Ａ、４２Ｂは、膨らみ部５０Ａ４２Ａ，５０Ｂを必要としないことが解る。
【００３６】
また、図示の第３の実施の形態では、台座本体２０Ｍが基台２０Ｂの周面まで延びているため、抜け止めピン４２の把手部４２Ｇは、基台２０Ｂから突き出ているが（図１７、図２１参照）、台座本体２０Ｍが基台２０Ｂの周面まで延びていないでその手前で終わっていれば、把手部４２Ｇが台座２０から突き出ることがない。後者の場合、把手部４２Ｇが基台２０Ｂの上面に位置するので、把手部４２Ｇに指を掛け難くなるが、これを回避するために、図２３（Ｃ）に示すように、把手部４２Ｇをピン部分４２Ａ、４２Ｂから直角方向に向きを変えて指を掛け易くすることができる。
【００３７】
第３の実施の形態によるレベルアジャスタ１０は、上記の構造以外は、第１及び第２の実施の形態によるレベルアジャスタ１０と同じ構造を有し、またその機能及び効果は、第１及び第２の実施の形態によるレベルアジャスタの機能及び効果と同じであるので、その説明を省略する。
【００３８】
本発明の第１乃至第３の実施の形態のいずれでも、スクリュー３０の鍔３０Ｆと窪み２２の周壁との間には隙間Ｇがあってスクリュー３０が窪み２２内で首振りすることができるようになっている（図５、図１８、図２０参照）。この首振りは、台座２０が載置される床が傾斜していたり、床に凹凸があったりした場合に、それに追随することができるのに役立つものである。
【００３９】
また、同様に、第１乃至第３の実施の形態のいずれでも、抜け止めピン４２のピン部分４２Ａ、４２Ｂとスクリュー３０の鍔３０Ｆとは若干の間隔Ｄをあけているのが好ましい（図５、図１３、図２０の符号Ｄ参照）。この間隔Ｄは、地震の発生で床が水平面に対して傾きが生じた場合に、台座２０も同様に傾くが、台座２０に差し込まれている抜け止めピン４２のピン部分４２Ａ、４２Ｂの一方が他方に対して上昇してもスクリュー３０の鍔３０Ｆを押し上げることがなく、床の傾きが据付物体に伝わるのを防止することができる。これは、台座２０が耐震手段７０のマット状耐震部材７２を有することと相俟って据付物体への震動の伝達を有効に防止するのに役立つ。
【００４０】
これも、同様に、第１乃至第３の実施の形態に共通することであるが、図示の実施例では、いずれも、抜け止めピン４２のピン部分４２Ａ、４２Ｂがその末広がりによってばね性が付与されているので、ピン部分４２Ａ、４２Ｂの前記窪みにオーバーラップする部分の外側の外周面は、２つのピン差し込み孔４４の外側の内周面（例えば、図６の右側のピン差し込み孔４４の右側の内周面、左側のピン差し込み孔４４の左側の内周面、図１４、図２１も同様の内周面）に面接触しており、ピン部分４２Ａ、４２Ｂの前記窪みにオーバーラップする部分が広がることなく、抜け止めピン４２のピン部分４２Ａ、４２Ｂの抜け止めを一層確実にしている。
【００４１】
本発明のレベルアジャスタは、上記の第１乃至第３の実施の形態による構造に限定されるものではなく、例えば、位置決め手段５０は、抜け止めピン４２のピン部分４２Ａ、４２Ｂと台座との間で形成されるだけではなく、抜け止めピン４２の把手部４２Ｇと台座との間で形成されていてもよい。また、ピン弾性抜け止め手段６０は、ピン部分４２Ａ、４２Ｂに弾性層を有してこれらのピン部分４２Ａ、４２Ｂを手で容易に抜き差しすることができるが、外部から力を加えなければ、ピン部分４２Ａ、４２Ｂがピン差し込み孔４４から不本意に抜け出すことがなく、抜け止めされるようにしてもよい。
【００４２】
なお、抜け止めピン４２の把手部４２Ｇは、図２３（Ｄ）に示すように、２つのピン部分４２Ａ、４２Ｂの間隔よりも大きな幅を有するように拡大して抜け止めピン４２の抜き差しを一層容易に行うことができるようにすることができる。
【産業上の利用可能性】
【００４３】
本発明のレベルアジャスタは、抜け止めピンの差し込みでスクリューを抜け止めすることができるので、スクリューの着脱を迅速に行うことができ、また、抜け止めピンの２つのピン部分が台座のピン差し込み孔の内面に摩擦的に係合するので、スクリューは、台座に安定して抜け止めすることができ、産業上の利用性を有する。
【符号の説明】
【００４４】
１０      レベルアジャスタ
２０      台座
２０Ｂ    基板
２０Ｍ    台座本体
２０ＭＰ  突出部分
２０Ｓ    把手収納空間
２２      窪み
３０      スクリュー
３０Ｆ    鍔
４０      スクリュー抜け止め手段
４２      抜け止めピン
４２Ａ、４２Ｂ  ピン部分
４２Ｇ    把手部
４４      ピン差し込み孔
４４Ｈ    入口（拡大孔）
５０      位置決め手段
５０Ａ、５０Ｂ  膨らみ部
５０Ｓ    肩部
６０      ピン弾性抜け止め手段
７０      耐震手段
７２      マット状耐震部材
Ｄ        間隔
Ｇ        隙間
【図１】
0005499304.tif 000002
【図２】
0005499304.tif 000003
【図３】
0005499304.tif 000004
【図４】
0005499304.tif 000005
【図５】
0005499304.tif 000006
【図６】
0005499304.tif 000007
【図７】
0005499304.tif 000008
【図８】
0005499304.tif 000009
【図９】
0005499304.tif 000010
【図１０】
0005499304.tif 000011
【図１１】
0005499304.tif 000012
【図１２】
0005499304.tif 000013
【図１３】
0005499304.tif 000014
【図１４】
0005499304.tif 000015
【図１５】
0005499304.tif 000016
【図１６】
0005499304.tif 000017
【図１７】
0005499304.tif 000018
【図１８】
0005499304.tif 000019
【図１９】
0005499304.tif 000020
【図２０】
0005499304.tif 000021
【図２１】
0005499304.tif 000022
【図２２】
0005499304.tif 000023
【図２３】
0005499304.tif 000024